(57)【要約】【課題】展示会で展示機種の演出内容を効果的にアピールできるようにする。【解決手段】ビデオ信号を入力するための信号入力端子４２と、該信号入力端子４２から入力されるビデオ信号を分配する分岐回路４７と、該分岐回路４７が分配させたビデオ信号を出力するための複数の信号出力端子４４，４６とを備えてなり、パチンコ遊技機のワイヤーハーネスの一つを取り外した状態で、前記信号入力端子４２を画像表示制御手段側３２に接続されるとともに、前記信号出力端子４４の一つを画像表示器側３５に接続されて、画像表示制御手段側３２から画像表示器側３５に演出画像に係るビデオ信号を送信しつつ、同じ演出画像に係るビデオ信号を、画像表示器側３５に接続していない信号出力端子４６から前記パチンコ遊技機以外の機器５０に出力可能とする演出画像外部出力装置４０をパチンコ遊技機に取り付ける。【選択図】図６
2012130594.tif 000002
【特許請求の範囲】
【請求項１】
演出画像を表示する画像表示器と、該画像表示器を制御する画像表示制御手段と、画像表示制御手段側から画像表示器側に演出画像に係るビデオ信号を送信する、少なくとも一つのワイヤーハーネスとを備えるパチンコ遊技機に取り付けられるものであって、
ビデオ信号を入力するための信号入力端子と、
該信号入力端子から入力されるビデオ信号を分配する分岐回路と、
該分岐回路によって分配されたビデオ信号を出力するための複数の信号出力端子とを備えてなり、
パチンコ遊技機の前記ワイヤーハーネスの一つを取り外した状態で、前記信号入力端子を画像表示制御手段側に接続されるとともに、前記信号出力端子の一つを画像表示器側に接続されて、画像表示制御手段側から画像表示器側に演出画像に係るビデオ信号を出力しつつ、同じ演出画像に係るビデオ信号を、画像表示器側に接続されていない信号出力端子から前記パチンコ遊技機以外の機器に出力するものであることを特徴とするパチンコ遊技機の演出画像外部出力装置。
【請求項２】
前記分岐回路によって分配される一部のビデオ信号の方式を変換する変換回路を備え、
パチンコ遊技機の画像表示器側に出力するための前記信号出力端子からは、信号入力端子に入力されるビデオ信号と同じ方式でビデオ信号を出力し、
パチンコ遊技機以外の機器に出力するための前記信号出力端子からは、前記変換回路によって信号方式を変換されたビデオ信号を出力することを特徴とする請求項１記載のパチンコ遊技機の演出画像外部出力装置。
【請求項３】
電力を入力するための電源入力端子と、電力を出力するための電源出力端子と、前記電源入力端子から入力される電力を前記分岐回路に供給するとともに、前記電源出力端子からも出力する電源回路とを備え、
パチンコ遊技機の内部機器間の電力供給に用いられるワイヤーハーネスの一つを取り外した状態で、電力を供給する側の内部機器に前記電源入力端子を接続されるとともに、電力を供給される側の内部機器に前記電源出力端子を接続されて、当該パチンコ遊技機から電力供給を受けるものであることを特徴とする請求項１又は請求項２に記載のパチンコ遊技機の演出画像外部出力装置。
【発明の詳細な説明】
【技術分野】
【０００１】
本発明は、パチンコ遊技機の画像表示器で表示される演出画像を外部に出力するための演出画像外部出力装置に関する。
【背景技術】
【０００２】
多くのパチンコ遊技機では、遊技盤の中央に画像表示器が設けられており、遊技の進行に合わせて、音や照明とともに画像表示器に多彩な演出画像が表示され、遊技を盛り上げる。近年のパチンコ遊技機では、この演出内容が、遊技の面白さを左右する重要な要素となっている。
【０００３】
また、パチンコ遊技機の背面側には、ワイヤーハーネスによって相互接続された複数の電子基板が装着されており、これらの電子基板によって遊技や演出の制御が行われている（例えば、特許文献１）。そして、上記画像表示器の演出画像に関しても、これらの電子基板が演出画像に係る画像データを生成し、演出画像に係るビデオ信号を画像表示器に送信するよう構成されている（例えば、特許文献２）。
【先行技術文献】
【特許文献】
【０００４】
【特許文献１】特開２００６−０２６１６５号公報
【特許文献２】特開２０１０−２７９７１８号公報
【発明の概要】
【発明が解決しようとする課題】
【０００５】
ところで、パチンコ遊技機の新機種発売前には、新機種の宣伝目的で、遊技場の関係者を招いて展示会が行われる。こうした展示会では、参加者は新機種の試し打ちを行うことができるが、参加者の人数に比べて台数が少ないため、長時間試し打ちをすることは難しい。また、他の参加者の試し打ちを覗くにしても、覗ける人数は限られるし、遊技者の脇や後ろからでは演出画像の内容を十分に確認することができない。このため、従来の新機種展示会では、参加者に新機種を十分にアピールできているとは言い難かった。
【０００６】
本発明は、上記問題を解決し得る、パチンコ遊技機の演出画像外部出力装置の提供を目的とする。
【課題を解決するための手段】
【０００７】
本発明は、演出画像を表示する画像表示器と、該画像表示器を制御する画像表示制御手段と、画像表示制御手段側から画像表示器側に演出画像に係るビデオ信号を送信する、少なくとも一つのワイヤーハーネスとを備えるパチンコ遊技機に取り付けられるものであって、ビデオ信号を入力するための信号入力端子と、該信号入力端子から入力されるビデオ信号を分配する分岐回路と、該分岐回路によって分配されたビデオ信号を出力するための複数の信号出力端子とを備えてなり、パチンコ遊技機の前記ワイヤーハーネスの一つを取り外した状態で、前記信号入力端子を画像表示制御手段側に接続されるとともに、前記信号出力端子の一つを画像表示器側に接続されて、画像表示制御手段側から画像表示器側に演出画像に係るビデオ信号を出力しつつ、同じ演出画像に係るビデオ信号を、画像表示器側に接続されていない信号出力端子から前記パチンコ遊技機以外の機器に出力するものであることを特徴とするパチンコ遊技機の演出画像外部出力装置である。
【０００８】
かかる演出画像外部出力装置をパチンコ遊技機に取り付ければ、演出画像制御手段から画像表示器へのビデオ信号の送信を遮ることなく、演出画像に係るビデオ信号を外部機器に出力可能となり、当該パチンコ遊技機の画像表示器で表示される演出画像を、外部モニターやプロジェクターなどによってリアルタイムで別の場所に表示可能となる。
【０００９】
また、本発明にあって、前記分岐回路によって分配される一部のビデオ信号の方式を変換する変換回路を備え、パチンコ遊技機の画像表示器側に出力するための前記信号出力端子からは、信号入力端子に入力されるビデオ信号と同じ方式でビデオ信号を出力し、パチンコ遊技機以外の機器に出力するための前記信号出力端子からは、前記変換回路によって信号方式を変換されたビデオ信号を出力する構成が提案される。
【００１０】
一般的に、ワイヤーハーネスを介してパチンコ遊技機の内部機器間を伝送されるビデオ信号の方式は、長距離伝送には不適であったり、外部機器の入力方式と不適合であったりする場合が多いが、かかる構成では、外部出力用のビデオ信号の方式を変換することで、外部機器に適切なビデオ信号を出力することが可能となる。
【００１１】
また、本発明にあって、電力を入力するための電源入力端子と、電力を出力するための電源出力端子と、前記電源入力端子から入力される電力を前記分岐回路に供給するとともに、前記電源出力端子からも出力する電源回路とを備え、パチンコ遊技機の内部機器間の電力供給に用いられるワイヤーハーネスの一つを取り外した状態で、電力を供給する側の内部機器に前記電源入力端子を接続されるとともに、電力を供給される側の内部機器に前記電源出力端子を接続されて、当該パチンコ遊技機から電力供給を受けるものである構成が提案される。
【００１２】
かかる構成にあっては、パチンコ遊技機内の電力供給を妨げることなく、パチンコ遊技機の電源を流用して、演出画像に係るビデオ信号を外部出力することが可能となる。
【発明の効果】
【００１３】
以上に述べたように、本発明によれば、パチンコ遊技機の演出画像をリアルタイムで外部出力可能となる。したがって、新機種の展示会で、参加者が十分に試し打ちできない場合でも、試し打ちが行われている機台の演出画像を、大型モニタやスクリーンにリアルタイムで表示することで、多くの参加者に当該機種の演出内容を深く理解してもらい、当該機種を強くアピールすることが可能となる。特に、本発明の演出画像外部出力装置は、展示会用のサンプルなどに取り付けて、演出画像を外部機器に出力可能とするものであるから、パチンコ遊技機自体には、演出画像を外部出力するための構成を配設せずに済む。また、本発明の演出画像外部出力装置は、展示会の度に使い回すことができるから、利便性にも優れる。
【図面の簡単な説明】
【００１４】
【図１】パチンコ遊技機１の斜視図である。
【図２】遊技盤１０の正面図である。
【図３】パチンコ遊技機１の背面図である。
【図４】パチンコ遊技機１の演出表示に係る制御回路を示すブロック図である。
【図５】演出画像外部出力装置４０の正面図である。
【図６】演出画像外部出力装置４０の制御回路を示すブロック図である。
【図７】（ａ）は、画像音声制御基板３２と液晶中継基板３５の通常の接続態様を示す説明図であり、（ｂ）は、演出画像外部出力装置４０を、画像音声制御基板３２と液晶中継基板３５に接続した時の接続態様を示す説明図である。
【図８】演出画像外部出力装置４０をパチンコ遊技機１に取り付けた時の回路構成を示すブロック図である。
【図９】演出画像外部出力装置４０をパチンコ遊技機１の別の位置に取り付けた時の回路構成を示すブロック図である。
【発明を実施するための形態】
【００１５】
実施例の演出画像外部出力装置について説明する前に、まず、演出画像外部出力装置を取り付けるパチンコ遊技機について説明する。なお、以下に説明するパチンコ遊技機１は、既知のものであるため、本発明に関係しない部分については詳細な説明を省略する。
【００１６】
パチンコ遊技機１は、図１に示すように、遊技島設備（図示省略）に固定される外枠２と、この外枠２の前面開口部を覆う遊技機本体３とからなる。遊技機本体３は、中央上部の略円形の開口部に遊技盤１０が取り付けられた前枠５を備え、この前枠５の一側縁がヒンジ部材４，４を介して外枠２に開閉可能に枢着されている。また、前枠５の下部には、上受皿７と下受皿８とが上下に列設されており、下受皿８の右側方に発射ハンドル９が突設される。
【００１７】
図２に示すように、遊技盤１０の前面には、遊技球を転動流下させる略円形の遊技領域１２が区画形成されている。そして、遊技領域１２の中央から右側部分には、画像表示器１４が組み付けられた樹脂製のセンターケース１３が配設される。画像表示器１４は、表示画面１５を前面に備えた液晶表示器であり、その表示画面１５には、様々な演出画像が表示される。また、センターケース１３には、画像表示器１４以外に、演出時に発光する演出用ＬＥＤ１６や、入賞装置１７ａ、演出時に回転駆動される演出用役物１８、特別図柄表示装置１９などが組み付けられる。また、遊技領域１２には、センターケース１３の周囲に、入賞装置１７ｂ，１７ｃ，１７ｄやゲート装置２１、遊技釘２０などの各種の遊技部材が設けられる。
【００１８】
また、パチンコ遊技機１の背面側には、図３に示すように、電子基板を収納した基板ケース２２が複数配設される。基板ケース２２に収納された各電子基板は、コネクタが設けられた端子２３のみ外部に露出させており、各端子２３に接続されたワイヤーハーネス（図示省略）によって各電子基板が相互接続されている。
【００１９】
上記画像表示器１４の表示画面１５には、遊技の進行に合わせて図柄やキャラクターなどの演出画像が表示される。例えば、特別図柄表示装置１９の変動中は表示画面１５で演出用図柄が変動し、また、大当り中には大当り用演出画像が表示画面１５に表示される。また、演出画像の表示と並行して、スピーカ（図示省略）から演出用音声が発せられるとともに、演出用ＬＥＤ１６が発光・点滅し、さらには、演出用役物１８が適宜タイミングで駆動することで、盛大な演出が行われる。
【００２０】
以下に、図４を参照して、上記パチンコ遊技機１の演出を制御する制御回路について説明する。
【００２１】
パチンコ遊技機１の演出制御は、主制御基板３０（主基板）、演出制御基板３１、画像音声制御基板３２、及び演出用役物駆動基板３３の四つの電子基板によって行われる。
【００２２】
主制御基板３０は、遊技の統括的な制御を実行するものであり、特別図柄の変動や、大当りの発生等を制御するための基板回路を具備している。主制御基板３０は、演出制御基板３１と接続されており、遊技状態に応じて所要の演出制御コマンドを演出制御基板３１に送信し、遊技状態に即した演出を実行させる。
【００２３】
演出制御基板３１は、遊技に合わせて行われる演出を統括的に制御するものである。具体的には、演出制御基板３１は、多数の演出パターンを実行するためのプログラムと、実行する演出パターンを決定するためのプログラムを記憶している。演出制御基板３１は、主制御基板３０から演出制御信号を受信すると、実行する演出パターンをプログラムに従って決定する。そして、ＬＥＤ中継基板３４を介して演出用ＬＥＤ１６を発光させるとともに、画像音声制御基板３２及び演出用役物駆動基板３３に制御信号を送信することで、画像表示器１４やスピーカ３７、演出用役物１８を演出パターンどおりに作動させる。
【００２４】
画像音声制御基板３２は、画像表示器１４の表示内容や、スピーカ３７の音声を制御するものであり、本発明に係る画像表示制御手段は、この画像音声制御基板３２によって主に実現される。具体的には、画像音声制御基板３２は、画像表示器１４用の画像データやスピーカ３７用の音声データを記憶するとともに、画像表示器１４及びスピーカ３７を制御するための制御プログラムを記憶している。そして、画像音声制御基板３２は、演出制御基板３１から特定の演出パターンの実行を指示する制御信号を受信すると、所要の画像データをＲＡＭに展開し、液晶中継基板３５を介して画像表示器１４にビデオ信号を送信するとともに、音声データをＲＡＭに展開し、音声中継基板３６を介してスピーカ３７にオーディオ信号を送信する。ここで、画像音声制御基板３２から画像表示器１４へは、ＬＶＤＳ方式のビデオ信号が送信される。
【００２５】
また、演出用役物駆動基板３３は、演出用役物１８の駆動制御を行うものである。具体的には、演出用役物駆動基板３３は、演出用役物１８を駆動させるためのプログラムを記憶しており、演出制御基板３１から制御信号を受信すると、該制御信号の内容に応じた駆動パターンで演出用役物１８を回転駆動する。
【００２６】
また、主制御基板３０、演出制御基板３１、画像音声制御基板３２、及び演出用役物駆動基板３３には、電源基板３８から電力が供給される。また、画像表示器１４へは、画像音声制御基板３２から液晶中継基板３５を介して電力が供給される。
【００２７】
以下に、本発明の演出画像外部出力装置の実施例について説明する。
実施例の演出画像外部出力装置４０は、所要の電気回路を具備する電子基板を樹脂製ケース４１に収容してなるものであり、電子基板は、コネクタが設けられた５つの端子４２〜４６のみをケース４１から露出させている。図５において、左側上部の端子４２はパチンコ遊技機からビデオ信号を入力するための信号入力端子であり、左側下部の端子４３は、電力を入力するための電源入力端子４３である。また、右側上部の端子４４は、パチンコ遊技機にビデオ信号を出力するための第一信号出力端子であり、右側下部の端子４５は、電力を出力するための電源出力端子である。そして、下部に設けられた端子４６は、パチンコ遊技機１以外の外部機器にビデオ信号を出力するための第二信号出力端子である。
【００２８】
この演出画像外部出力装置４０は、図６に示すように、ＬＶＤＳ方式のビデオ信号を二つに分配する分岐回路４７を備えている。前記信号入力端子４２から入力されるビデオ信号は、この分岐回路４７で二つに分配される。
【００２９】
また、演出画像外部出力装置４０は、ＬＶＤＳ方式のビデオ信号をＤＶＩ方式に変換する変換回路４８を備えている。前記分岐回路４７で２つに分岐されたビデオ信号の一方は、ＬＶＤＳ方式のまま第一信号出力端子４４から出力され、他方は、この変換回路４８でＤＶＩ方式に変換されて、第二信号出力端子４６から出力される。この変換回路４８の回路構成は、既知の構成を好適に用いることができる。
【００３０】
また、演出画像外部出力装置４０には、電源入力端子４３に入力される電力を分岐回路４７及び変換回路４８に供給するとともに、電源出力端子４５から出力する電源回路４９を備えている。
【００３１】
次に、かかる演出画像外部出力装置４０を、上記パチンコ遊技機１に取り付ける方法について説明する。図７（ａ）は、演出画像外部出力装置４０を取り付けていない状態の画像音声制御基板３２と液晶中継基板３５の接続態様を示すものである。これらの電子基板３２，３５は、基板ケース２２ａ，２２ｂに収納された状態で遊技機本体３の背面側に取り付けられ、ワイヤーハーネス２６ａ，２６ｂによって相互に接続されている。ここで、図７（ａ）の上側のワイヤーハーネス２６ａは、ビデオ信号送信用ワイヤーハーネスであり、下側のワイヤーハーネス２６ｂは、電力供給用ワイヤーハーネスである。
【００３２】
演出画像外部出力装置４０を取り付ける際には、図７（ｂ）に示すように、画像音声制御基板３２と液晶中継基板３５を直接接続しているビデオ信号送信用ワイヤーハーネス２６ａを取り外し、演出画像外部出力装置４０の信号入力用端子４２を、画像音声制御基板３２のビデオ信号出力用の端子２３ａと接続するとともに、演出画像外部出力装置４０の第一信号出力用端子４４を、液晶中継基板３５のビデオ信号入力用の端子２３ｂと接続する。また、同様にして、画像音声制御基板３２と液晶中継基板３５を直接接続している電力供給用ワイヤーハーネス２６ｂを取り外し、演出画像外部出力装置４０の電源入力用端子４３を、画像音声制御基板３２の電源出力用の端子２３ｃと接続するとともに、演出画像外部出力装置４０の電源出力用端子４５を、液晶中継基板３５の電源入力用の端子２３ｄと接続する。なお、電子基板３２，３５の各端子２３ａ〜２３ｄは、パチンコ遊技機１の背面側に露出しているから、これらの端子２３ａ〜２３ｄと演出画像外部出力装置４０の各端子４２〜４５とは、ワイヤーハーネス２６ａ，２６ｂによって容易に接続できる。基板ケースの背面側をさらに保護ケースで覆ったパチンコ遊技機も存在するが、かかる保護ケースは簡単に取外しできるため、こうした機種に対しても演出画像外部出力装置４０は問題なく取付け可能である。
【００３３】
かかる取り付け状態にあっては、画像音声制御基板３２から液晶中継基板３５に直接送られていたビデオ信号及び電力は、図８に示すように、演出画像外部出力装置４０を経由して液晶中継基板３５に送られることとなる。そして、これとともに、ビデオ信号を外部出力装置４０の第二信号出力端子４６から外部モニタなどの外部機器５０へ出力可能となる。
【００３４】
なお、以上では、演出画像外部出力装置４０を、画像音声制御基板３２と演出中継基板３５の間に接続する場合について説明したが、演出画像外部出力装置４０は、図９に示すように、演出中継基板３５と画像表示器１４の間に接続することも可能である。また、かかる演出画像外部出力装置４０は、パチンコ遊技機と接続するワイヤーハーネスさえ変更すれば、接続対象のコネクタ形状に制限されず、様々な機種に取付可能である。また、図７（ｂ）では、二本のワイヤーハーネス２６ａ，２６ｂを介してビデオ信号と電源を入出力しているが、これら二本のワイヤーハーネス２６ａ，２６ｂは、一本に纏めることもできる。
【００３５】
以上のように、本実施例の演出画像外部出力装置４０をパチンコ遊技機１に取り付ければ、外部モニタなどの外部機器５０を演出画像外部出力装置４０の第二信号出力端子４６と接続することで、当該パチンコ遊技機１の画像表示器１４に表示される演出画像を外部モニタなどにリアルタイムで表示可能となる。また、ビデオ信号は、演出画像外部出力装置４０から外部機器５０に出力されるだけでなく、画像表示器１４にも送信されるからパチンコ遊技機１では、通常どおり遊技を行うことができる。また、演出画像外部出力装置４０は、パチンコ遊技機１の背面側に装着するため、遊技の邪魔となることはない。
【００３６】
したがって、本実施例の演出画像外部出力装置４０を、展示会で展示するパチンコ遊技機に取り付ければ、参加者に試し打ちをさせつつ、当該機種の演出画像の内容を、リアルタイムで外部モニタなどに出力することができ、遊技をしていない参加者にも当該機種の演出内容を深く理解してもらい、当該機種の特徴を強くアピールすることが可能となる。特に、本実施例の演出画像外部出力装置４０を用いれば、演出画像を外部出力するためにパチンコ遊技機自体の構成を変更しなくて済み、また、演出画像外部出力装置４０は多数の機台に使い回しが効くものであるから、極めて低コストでパチンコ遊技機の演出画像を外部出力可能となる。
【００３７】
また、本実施例の演出画像外部出力装置４０は、ビデオ信号をＬＶＤＳ方式からＤＶＩ方式に変換する変換回路４８を備え、パチンコ遊技機１には、入力信号と同じＬＶＤＳ方式の信号を出力するとともに、外部機器５０へはＤＶＩ方式の信号を出力するようにしている。ＬＶＤＳ方式の信号は、比較的伝送距離が短く、当該方式の入力端子を備えた外部機器は希少であり、外部機器への出力には適していないが、本実施例では、長距離伝送に適し、汎用性の高いＤＶＩ方式に信号を変換して出力するため、信号方式による不具合は発生しない。このため、本実施例では、外部機器５０の入力端子を第二信号出力端子４６に接続するだけで、外部機器５０に画像表示器１４と同じ演出画像を表示させることができる。
【００３８】
また、本実施例の演出画像外部出力装置４０は、電源入力端子４３から入力される電力を分岐回路４７と変換回路４８に供給するとともに、電源出力端子４５からも出力する電源回路４９を備えており、電源入力端子４３を画像音声制御基板３２の電源出力用の端子２３ｃに接続し、電源出力端子４５を液晶中継基板３５の電源入力用端子２３ｄと接続することで、画像音声制御基板３２から画像表示器１４に供給される電力を流用してビデオ信号の分配と変換を行うことができ、電源を別途準備する必要がない。
【００３９】
なお、本発明の演出画像外部出力装置は、上記実施例の形態に限らず本発明の要旨を逸脱しない範囲内において種々変更を加えることができる。例えば、実施例の演出画像外部出力装置は、ビデオ信号を二つに分配するものであったが、本発明の演出画像外部出力装置は、ビデオ信号を三つ以上に分配するものであってもよい。また、上記実施例の演出画像外部出力装置は、ＬＶＤＳ方式のビデオ信号をＤＶＩ方式に変換して外部機器へ出力するものであったが、本発明の演出画像外部出力装置は、入力されるビデオ信号の方式を変換せずに外部機器に出力するものであってもかまわない。
【符号の説明】
【００４０】
１  パチンコ遊技機
１４  画像表示器
１５  表示画面
２２，２２ａ，２２ｂ  基板ケース
２３，２３ａ〜２３ｄ  端子
２６ａ，２６ｂ  ワイヤーハーネス
３０  主制御基板
３１  演出制御基板
３２  画像音声制御基板
３５  液晶中継基板
３８  電源基板
４０  演出画像外部出力装置
４１  ケース
４２  信号入力端子
４３  電源入力端子
４４  第一信号出力端子
４５  電源出力端子
４６  第二信号出力端子
４７  分岐回路
４８  変換回路
４９  電源回路
５０  外部機器
【図１】
2012130594.tif 000003
【図２】
2012130594.tif 000004
【図３】
2012130594.tif 000005
【図４】
2012130594.tif 000006
【図５】
2012130594.tif 000007
【図６】
2012130594.tif 000008
【図７】
2012130594.tif 000009
【図８】
2012130594.tif 000010
【図９】
2012130594.tif 000011